(57)【要約】【課題】入力信号のサンプリング周期とレベル表示周期の不整合による不都合を解決することにある。【解決手段】複数の表示セグメントによって入力信号のレベルを表示させるレベル表示装置において、入力信号を第１のクロックにしたがってサンプリングするサンプリング手段と、前記第１のクロックより低い周波数の第２のクロックにしたがって前記表示セグメントに表示するようにした制御手段とを備えたレベル表示装置。【選択図】　　　図６
2004028870.tif 000002
【特許請求の範囲】
【請求項１】
複数の表示セグメントによって入力信号のレベルを表示させるレベル表示装置において、
入力信号を第１のクロックにしたがってサンプリングするサンプリング手段と、
前記第１のクロックより低い周波数の第２のクロックにしたがって前記表示セグメントに表示するようにした表示制御手段と、
を備えたことを特徴とするレベル表示装置。
【請求項２】
請求項１において、
前記サンプリング手段は、入力信号をデジタル化するためのＡ／Ｄ変換器及びピーク検出手段を含み、前記第１のクロックにしたがってサンプリングした入力信号のサンプル値に対して、前記第２のクロックの周期でピーク値を出力することを特徴とするレベル表示装置。
【請求項３】
請求項２において、
前記ピーク検出手段は、前記入力信号のサンプル値の絶対値の最大値を保持することを特徴とするレベル表示装置。
【請求項４】
請求項１において、
前記表示制御手段は、前記第２のクロックの周期で出力されるレベル値と、前回のレベル値に対して所定の減衰特性を与えた減衰レベル値とを比較し、大きいほうのレベル値を表示するように構成されていることを特徴とするレベル表示装置。
【請求項５】
請求項４において、
前記表示制御手段は、表示されたレベル値を所定期間ホールドする表示を行うことを特徴とするレベル表示装置。
【請求項６】
請求項５において、
前記表示制御手段は、前記所定期間内に前記ホールドされたレベル値を越えるレベル値が出力された場合には、ホールドされたレベル値を更新するように構成されていることを特徴とするレベル表示装置。
【請求項７】
請求項１において、
前記表示制御手段は、前記第２のクロックの周期でレベル値を表示する第１の表示と、当該第１の表示を所定期間保持する第２の表示を並行して行うことを特徴とするレベル表示装置。
【請求項８】
請求項７において、
前記第１に表示は、前記第２のクロックの周期で出力される入力信号のピーク値であり、前記第２の表示は、当該ピーク値を前記第２のクロックの周期よりも長い所定期間ホールドするピークホールド表示であることを特徴とするレベル表示装置。
【請求項９】
複数の表示セグメントによって入力信号のレベルを表示するレベル表示手段と、
入力信号のレベルを所定の周期でサンプリングするサンプリング手段と、
前記サンプリング手段によってサンプリングされた入力信号から検出されたレベル値を所定の減衰特性に基づいて減衰させた減衰レベル値をもとめる減衰手段と、
前記サンプリング手段によってサンプリングされた入力信号から検出されたレベル値と、以前にサンプリングされた入力信号から検出されたレベル値を前記減衰手段によって減衰した減衰レベル値とを比較して、大きい方を前記レベル表示手段にて表示する表示制御手段と、
を備えたことを特徴とするレベル表示装置。
【発明の詳細な説明】
【０００１】
【発明の属する技術分野】
本発明は、複数の表示セグメントによって構成されるレベル表示装置に関する。
【０００２】
【従来の技術】
一般に、音声信号等の入力信号のレベルを表示するために用いられているレベルメータは、表示素子として、ＬＥＤ、ＬＣＤ、ＦＬ管などを用いているものが多く、図８に示すように、表示用の複数のセグメントからなり、表示するレベルに対応したセグメントが点灯し、点灯した数や長さなどから信号レベルを表現している。
【０００３】
この種の表示形式の場合、信号処理がデジタルになっていれば、入力信号をＡ／Ｄ変換したデジタルデータがそのまま振幅値を示すので、その入力信号に対応したデジタルデータと表示セグメントの点灯しきい値を比較して点灯、消灯を制御すれば実現できる。
【０００４】
図９はその処理を示したブロック図で、１０１は信号の入力端子、１０２はＡ／Ｄ変換器、１０３は絶対値変換器、１０４は各セグメントのしきい値とＡ／Ｄ変換されたデータとの比較をする比較器群、１０５は１０４の比較器群の結果を表示するセグメント表示群、１０６は、Ａ／Ｄ変換するためのクロックを示す。
【０００５】
この構成において、１０６のサンプリング周波数に相当するクロック毎に入力のアナログ信号をＡ／Ｄ変換していく。入力信号が音声信号の場合には、交流信号で、正負の振幅を持つ信号のため、Ａ／Ｄ変換した場合に、そのデータが負の値であると直接振幅の大きさを示さない。
【０００６】
そこで、負の信号も正方向の振幅値に変換する必要がある。これを１０３の絶対値変換で行う。絶対値に変換されたデータは、１０４で表示の各セグメントのしきい値と比較し、しきい値を越えていれば、点灯信号を出力する。この比較は、新しいデジタルデータ毎にその処理を実行する。
【０００７】
すなわちサンプリング周波数毎にデータが新しくなるため、１０６のクロックで制御し、レベル表示もサンプル値毎に表示を更新して連続的な表示を可能にする。
【０００８】
この処理の動きを具体的な波形を用いて説明する。図１０は音声の信号波形で、同図（ａ）は音声信号の入力波形で、横軸が時間、縦軸が振幅を示している。縦の線はサンプリング周波数毎のタイミングで、図中の○印はサンプル値を示す。この例ではサンプル値０から３２までの３３個のデータである。
【０００９】
前述したように、音声信号は交流信号のため、同図（ｂ）のように、負の信号をひっくり返した波形にして、正方向のみを用いる。つまり絶対値を取る。
【００１０】
同図（ｃ）は、その信号の量子化の過程で振幅方向に１１分割された枠のどれかに納めてデータ化することを示している。そして、その量子化データに対応した１１個のセグメント表示器に時間毎の表示を示したのが、図１１である。
【００１１】
【発明が解決しようとする課題】
しかしながら、上述したような従来方式においては、表示の更新がサンプリング周波数で決まるタイミング毎の処理であるため、その更新周期は、例えば、サンプリング周波数が４８ｋＨｚの場合には、一秒間に４８０００個のデータが発生する。したがって、処理自体が煩雑となる上に、処理回路の速度も速いものが要求されることになる。
【００１２】
また、表示装置、例えば、液晶のレスポンスは、サンプリング周波数ほど高速ではなく、一つ一つのデータに対して表示が反映されていないことになる。
【００１３】
また、表示装置の応答が速い場合には、それを見る人の目の応答が追いつかず、一瞬のピークを見逃してしまう事もあり、レベルを読みとりにくい欠点もあった。また、逆に表示手段としてＬＣＤの様な点灯の速度が遅い表示装置では、点灯しない場合があり、これでは、レベル表示機能として成り立たないという問題があった。
【００１４】
例えばＬＣＤを表示装置として使用した場合を考えてみる。ＬＣＤの応答速度は、だいたい数百ミリセカンドであることが知られている。サンプリングクロックが４８ＫＨｚの場合は、その１クロックの周期が約２０μｓｅｃで、ＬＣＤの応答を１００ｍｓｅｃとすると、４８００サンプリングクロック分の継続時間がないと、正しく表示されないことになる。
【００１５】
このような問題を解決するために応答の速いＬＥＤを最大のレベルにだけ追加しているものもあり、コストの面で有効な手段ではなかった。
【００１６】
【課題を解決するための手段】
このような課題を解決するために、本願における請求項１に記載の発明によれば、複数の表示セグメントによって入力信号のレベルを表示させるレベル表示装置において、入力信号を第１のクロックにしたがってサンプリングするサンプリング手段と、
前記第１のクロックより低い周波数の第２のクロックにしたがって前記表示セグメントに表示するようにした制御手段とを備えたレベル表示装置を特徴とする。
【００１７】
また本願における請求項９に記載の発明によれば、複数の表示セグメントによって入力信号のレベルを表示するレベル表示手段と、入力信号のレベルを所定の周期でサンプリングするサンプリング手段と、前記サンプリング手段によってサンプリングされた入力信号から検出されたレベル値を所定の減衰特性に基づいて減衰させた減衰レベル値をもとめる減衰手段と、前記サンプリング手段によってサンプリングされた入力信号から検出されたレベル値と、以前にサンプリングされた入力信号から検出されたレベル値を前記減衰手段によって減衰した減衰レベル値とを比較して、大きい方を前記レベル表示手段にて表示する表示制御手段とを備えたレベル表示装置を特徴とする。
【００１８】
【発明の実施の形態】
以下、本発明におけるレベル表示装置を、各図を参照しながら、記録再生装置に適用した場合について説明する。
【００１９】
記録再生装置は、入力信号を記録するのに適したレベルに調整して記録する必要がある。例えば、良く知られているアナログのテープレコーダでは、録音レベルが低いとノイズの多い、いわゆるＳ／Ｎが悪い録音になり、録音レベルが高いと、記録媒体であるテープが飽和してしまい、歪んだ音になってしまう。
【００２０】
また、デジタル録音方式の場合でも、録音レベルが低いと、デジタル化する時の量子化ノイズが増えてしまい、高いと、デジタルのデータが飽和してしまいやはり歪んだ音になってしまう。
【００２１】
すなわちいずれの方式においても、録音レベルを調整する手段とそのレベルを目で監視するためのレベル表示装置が必要であり、その装置を備えた一例を図１に示す。
【００２２】
同図において、１０１は信号の入力端子、１０２はＡ／Ｄ変換器、１０３は絶対値変換器、１０５は複数のセグメントからなるセグメント表示群によって構成された表示器、１０４は各セグメントごとに設けられたしきい値と、Ａ／Ｄ変換されたデータとを比較して各セグメントの点灯／消灯を決定する比較器群を備えたドライバ、１０６は入力端子１０１から入力される入力信号をサンプリングしてＡ／Ｄ変換するための第１のクロック、１０７は絶対値変換部１０３でのデータのピークを保持するピークホールド回路、１０８は表示器１０５の表示を更新する周期を決める第２のクロック、１０９は入力信号の記録するレベルを調整するためのレベル調整器である。
【００２３】
表示の更新周期を決定する第２のクロックは、演算回路１１１に供給されるとともにピークホールド回路１０７へと供給され、ピークホールド回路１０７をリセットする。これによってピークホールド回路１０７からは、第１のクロックの周期でサンプリングされた複数のサンプル値のピーク値が、第２のクロックの周期で出力されることになる。
【００２４】
１１１はピークホールド回路１０７より出力される入力信号のサンプル値のピーク値に基づいて、表示器１０５のセグメント群の表示を制御する演算回路である。
【００２５】
そしてピークホールド回路１０７、演算回路１１１は、ＣＰＵ１１２によって、後述する図６のフローチャートで示す処理によってソフトウエアによって実現されている。
【００２６】
１１０はＡ／Ｄ変換されたデジタル信号を記録再生する記録再生手段を示す。この構成において、１０１の入力端子から入力された信号は使用者が１０５のレベル表示を見ながら、前述したレベル調整を行うためのレベル調整器１０９を通り、１０２のＡ／Ｄ変換器でデジタルデータに変換される。
【００２７】
このデジタルデータは１１０の記録再生手段で不図示の記録媒体に記録される。またＡ／Ｄ変換器１０２の変換周期を与えるクロックは、１０６のクロック１から与えられ、記録しようとしている音声帯域に対応するサンプリング周期に基づいて決定される。入力信号は交流信号のため、１０３の絶対値変換で正の数の扱いとし、その値がレベルの大きさを示すデータにする。
【００２８】
このデータのピーク値を第２のクロックの半周期の間蓄積する。第２のクロックの周波数の半周期は、レベル表示を更新する周期で、この発明の目的である表示のための処理するデータを減らす意味からは、低い周波数であれば有利であるが、入力信号に対する表示の応答性が悪くなる。
【００２９】
応答性を重視して周波数を高くすると、処理の煩雑さの改善度が下がる。変化する物に対する人の目の検出能力が数１０ｍｓｅｃが限界であることや、そのことを利用したテレビ放送は秒間３０フレーム（６０フィールド）の間隔でなめらかな動きを再現していることから、第２のクロックの周波数は、テレビ放送のフィールドの周波数が最低周波数と考えられる。
【００３０】
ここで、第１のクロック１０６で駆動されるＡ／Ｄ変換器１０２は本発明の請求項におけるサンプリング手段に対応し、第２のクロック１０８によってフィールド周期ごとに、入力信号のサンプリング値のピーク値を後述の図６に示すフローチャートにしたがって演算し、レベル表示器に出力するＣＰＵ１１２が表示制御手段に対応する。
【００３１】
次にＣＰＵ１１２内で実行される処理を、図６のフローチャートを用いて説明する。同図において、ステップ６０１で処理をスタートし、ステップ６０２でフローのカウンタ関係をリセットする。表示の更新周期をフィールド周期とした例で説明するため、前述の第２のクロック２はフィールド周波数とする。ステップ６０３では、フィールドの最後を検出する。ステップ６０４では現在のフィールドでの各サンプリング値がそれ以前の最大値より大きいかどうかの判断をし、ステップ６０５ではその大きい方をＤＡＴＡｍａｘとして記憶する。
【００３２】
そして、フィールドの最後が来れば、ステップ６０６に移り、前記ＤＡＴＡｍａｘに相当する表示セグメント数ｓｅｇ．ＤＡＴＡに変換する。これらのステップ６０３〜６０４の処理を繰り返し行うことによって１フィールド期間内におけるサンプリング値の最大値すなわちピーク値がＤＡＴＡｍａｘとして出力され、対応する表示セグメント数に対応するｓｅｇ．ＤＡＴＡに変換され、フィールド周期で出力されることになる。
【００３３】
ステップ６０７ではその表示セグメント数に対応するｓｅｇ．ＤＡＴＡに対し、所定の減衰特性に基づいて減衰したレベルを時間軸をパラメータとして計算し、ステップ６０８において、その計算結果を１フィールド遅延させ、結果的に前記減衰特性にしたがって、１フィールド後に取るべきレベルに相当する表示セグメント数のデータが得られる。この減衰処理は、本発明の元帥手段に対応する。
【００３４】
ここで、減衰特性について説明すると、具体的には、レベル表示のダイナミックレンジをａ　ｄＢとし、最大に点灯したときから、全数消灯に要する時間をｂｓｅｃとする。表示の減衰特性を対数リニアで行うと違和感のない自然な見え方を与えることができることが確認されているので、表示の更新周期がフィールド時間毎であることから、時間をフィールド数で表現すると、ｂ＝ｃ　ｆｉｅｌｄｓとなり、ａ／ｃ　ｄＢ毎の減衰特性を与えると良いことになる。つまりａ／ｃ　ｄＢに相当する実数を現在の表示セグメント数にかけ算してやれば、減衰した次の表示すべきセグメント数が計算できる。
【００３５】
このようにフィールド周期で供給されるサンプル値のピーク値をそのまま用いずに、１フィールド前のピーク値を減衰特性を用いて１フィールド遅延した信号と比較してレベルの高い方を表示することにより、入力信号レベルのみにとらわれず、前フィールドの減衰レベルを考慮した実際の信号レベルを適切に表示することができる。
【００３６】
ステップ６０９は、次の表示セグメント数を格納するためのメモリー変数ｓｅｇ．ｎｅｘｔに、減衰特性にしたがって減衰させ、かつ１フィールド遅延された減衰セグメント数のデータを格納する。
【００３７】
ステップ６１０は、ステップ６０６から供給される現フィールドのピーク値を表す表示セグメント数のデータｓｅｇ．ＤＡＴＡと、ステップ６０９から供給される１フィールド前のｓｅｇ．ＤＡＴＡを減衰特性にしたがって１フィールド後に減衰されるべきレベルに対応する表示セグメント数のデータｓｅｇ．ｎｅｘｔとを比較する。
【００３８】
すなわち１フィールド前のｓｅｇ．ＤＡＴＡが減衰特性にしたがって減衰し、１フィールド後にとるべき表示セグメント数と、同じタイミングで入力される現フィールドのｓｅｇ．ＤＡＴＡを比較し、ｓｅｇ．ＤＡＴＡがｓｅｇ．ｎｅｘｔより大きければ（ｙｅｓ）、ステップ６１２で、そのｓｅｇ．ＤＡＴＡを実際に表示を行うセグメント数ＳＥＧとし、そのセグメント数を点灯し、レベルを表示する。
【００３９】
一方、ステップ６１０で、ｓｅｇ．ｎｅｘｔが、ｓｅｇ．ＤＡＴＡ以上であった場合（ｎｏ）には、ステップ６１１で、実際に表示をするセグメント数ＳＥＧをレベルが大きい方のｓｅｇ．ｎｅｘｔにし、表示を行う。
【００４０】
このステップ６１０〜６１２の処理によって、現在のフィールドにおけるピーク値に対応する表示セグメント数のデータｓｅｇ．ＤＡＴＡと、１フィールド前の表示セグメント数データを１フィールド期間減衰させたときの予測値であるｓｅｇ．ｎｅｘｔとを比較し、大きい方のデータが実際の表示セグメント数ＳＥＧとして用いられ、そのセグメント数を点灯してレベルを表示するように構成されている。
【００４１】
ステップ６１１，６１２のＤＩＳＰ１：ＳＥＧは、実際に表示セグメント数ＳＥＧをレベル表示器に表示することを示している。そしてその表示内容は、更新周期であるフィールド期間内における入力信号のサンプル値のピーク値であり、フィールド周期でリアルタイムに表示される。
【００４２】
続いてステップ６１３では、それまで表示していたピークホールド値すなわち実際に表示されている表示セグメント数と、今回表示しようとするセグメント数ＳＥＧを比較する。
【００４３】
その結果、ｓｅｇ．ＤＡＴＡが大きい場合（ｙｅｓ）は、ステップ６１６で、レベルを表示する表示セグメント数をホールドする時間すなわちフィールド数を設定したホールドカウンタ（ＨＯＬＤ　ｃｏｕｎｔ）をリセットし、ステップ６１７で、表示するピーク値のセグメント値（数）ＨＯＬＤを表示セグメント数ｓｅｇ．ＤＡＴＡに入れ替える。
【００４４】
続いて、ステップ６１５でホールドカウンタ（ＨＯＬＤ　ｃｏｕｎｔ）を１進め、ステップ６１８でピークホールド値と前フィールドのピーク値の表示を行い、ステップ６０３に戻る。
【００４５】
すなわちステップ以前のピーク値を、新たな信号レベルピーク値に対応するセグメント数が上回った場合には、いままでの表示セグメント数を新たなセグメント数に更新し、そのピーク値を保持する時間を設定するカウンタをリセットして保持状態を保つ。
【００４６】
またステップ６１３で、それまで表示していたピークホールド値ＨＯＬＤすなわち実際に表示されている表示セグメント数が、今回表示しようとするセグメント数ＳＥＧよりも大きかった場合（ｎｏ）には、後述のステップ６１４の処理へと移行する。
【００４７】
一方、ステップ６１０で、ｓｅｇ．ｎｅｘｔが、ｓｅｇ．ＤＡＴＡ以上であった場合（ｎｏ）には、ステップ６１１で、実際に表示をするセグメント数ＳＥＧをｓｅｇ．ｎｅｘｔにするとともに、ステップ６１４へと移行し、ホールドカウンタがホールドする時間すなわちフィールド数ｎに達したかどうかを判定する。
【００４８】
その結果、達している場合（ｙｅｓ）は、上述のステップ６１６，ステップ６１７に移行して、ホールドカウンタ（ＨＯＬＤ　ｃｏｕｎｔ）をリセットして新たな表示期間を設定する。
【００４９】
またステップ６１４で、ホールドカウンタがホールドする時間すなわちフィールド数ｎに達していない場合（ｎｏ）は、ステップ６１５でホールドカウンタ　（ＨＯＬＤ　ｃｏｕｎｔ）を１進め、ステップ６１８でピークホールド値を実際の表示セグメント数に対応するデータＨＯＬＤＳＥＧに変換し、ピークホールド値の表示ＤＩＳＰ２としてレベル表示器に表示し（ＤＩＳＰ２：ＨＯＬＤＳＥＧ）、ステップ６０３に戻る。
【００５０】
以上の処理によって、複数の表示セグメントを用いたレベル表示の更新は、表示の視覚特性を考慮してフィールド周期で行い、サンプリングされた入力信号のサンプリング値は、表示の更新周期内におけるピーク値を表示セグメント数として供給するようにしたので、サンプリング周波数にかかわらず、最適且つ効率的なレベル表示が可能となる。
【００５１】
以上の処理を、具体的に信号波形を用いて説明する。
【００５２】
図２は音声の信号波形で、レベル表示の更新周期である１フィールド期間における信号波形を示している。同図において、横軸が時間、縦軸が振幅を示している。縦の線はサンプリング周波数毎のタイミングで、図中の○印はサンプル値を示す。
【００５３】
この例ではサンプル値　０から３２までの３３個のデータである。前述したように、音声信号は交流信号のため、図３のように、絶対値変換器１０３によって、負の信号をひっくり返した波形にして、正方向のみを用いる。つまり絶対値を取る。
【００５４】
図４は、その信号をサンプリングしてＡ／Ｄ変換器１０２でデジタル信号に変換して量子化する過程を示す図である。
【００５５】
同図では、サンプリング値を、振幅方向に１１分割された枠のどれかに納めて量子化し、デジタルデータに変化している。各サンプル値がピークホールドされ、そのピーク値を新たなサンプル値が上回るごとに、そのピーク値が更新されて行く様子が示されている。これによって、１フィールド期間すなわちレベル表示の更新周期の１周期ごとにピーク値がホールドされることがわかる。
【００５６】
図５は、フィールド周期で出力されるピーク値を、例として、３２フィールド分の期間にわたって、レベル表示を行った場合を示す図である。横軸は時間、縦軸は表示用の複数のセグメントを表わしている。各フィールドごとにそのレベルに応じたセグメント数が表示されている。
【００５７】
同図において、グレー表示されているセグメント５０１が実際に点灯されたレベル表示セグメント（ＳＥＧ）、白抜きのセグメント５０２は消灯されている。○印のあるセグメントは、ステップ６０３〜６０５の処理で各フィールドごとに検出されたピーク値ＤＡＴＡｍａｘを示しており、黒表示のセグメント５０３は、ピークホールドを表示しているセグメントである。
【００５８】
また各フィールドのピーク値から右下方へと下降する斜線５０４は、ピーク値の減衰特性を表している（ステップ６０７）。そして各フィールドにおいては、そのフィールドで検出されたピーク値ＤＡＴＡｍａｘと１フィールド前のＤＡＴＡｍａｘを減衰特性にしたがって減衰させたｓｅｇ．ｎｅｘｔを比較（ステップ６１０）し、大きい方のセグメントが点灯されている。たとえばフィールド３を例にすると、そのフィールドのピーク値はセグメント５に相当するレベルであるが、その１フィールド前のピーク値を減衰させたレベルがセグメント７であるため、大きいほうのセグメント７が点灯されている。
【００５９】
またフィールドごとにピーク値をリアルタイムで表示すると同時に、ピークホールド値が表示されている。ピークホールド値は、そのレベルを越えるレベルが来なければ、点灯してから５フィールド保持されており（この例ではピークホールドの時間を５フィールドで、ホールドカウンタ（ＨＯＬＤ　ｃｏｕｎｔ）のカウント値ｎ＝５であることを意味する。また図５では、たとえばフィールド２〜７）、５フィールド期間内にさらに高いレベルのピーク値が到来した場合には、更新される（たとえばフィールド１０、１８）。５フィールド期間を経過しても前回までのピーク値を上回ることがなかった場合（フィールド８，１６，２６）には、ピークホールドされたレベル表示がリセットされ、新たなピーク値を表示することがわかる。これらの処理はステップ６１３〜６１８の処理に相当する。
【００６０】
上述の処理により、表示の更新周期である各フィールドごとに、レベルのピーク値が出力され、対応するセグメントを点灯させ、そのレベルをリアルタイムで表示し、同時に５フィールド期間を最長としてピークホールドされる。
【００６１】
また図７は、図５のレベル表示状態を、縦軸にフィールド番号の時間軸に置き換えて表示したものである。
【００６２】
以上のように、入力信号のサンプリング周期よりも長い所定の時間周期毎に表示を更新することによって、信号処理の煩雑さを抑えることができ、高速処理の必要を必須としないデバイス選択や、マイコンによるソフト処理も可能になる。
【００６３】
また、ピークレベルを一定時間表示させることも可能になる。さらに、表示装置の応答が遅いＬＣＤの場合でも、新たにデジタルのフルスケール値の表示にＬＥＤ等の高速応答素子を追加しなくても確実に使用者に認識させる事が可能になりコストも面でも有利である。
【００６４】
例えば、表示の更新周期つまり第２のクロックを３０Ｈｚ、サンプリング周波数を４８ｋＨｚとした場合に、同クロック中のサンプル値は、１６００個となり、表示の処理が１／１６００に軽減される。また、ピークホールド継続時間を１秒とすると、ＬＣＤの様な応答速度が遅い表示素子でも、その応答が１００ｍ　ｓｅｃだとしても、９００ｍ　ｓｅｃの時間表示を保持するため、十分な認識が可能である。
【００６５】
【発明の効果】
以上のように、本発明によれば、入力信号のサンプリング周期よりも長い所定の時間周期毎に表示を更新することによって、信号処理を簡略化でき、高速処理を必須としないデバイス選択や、マイコンによるソフト処理も可能になる。
【図面の簡単な説明】
【図１】本発明の構成を示すブロック図である。
【図２】入力信号の波形を示す図である。
【図３】入力波形の絶対値を示す図である。
【図４】本発明におけるレベル表示動作の説明に用いる図である。
【図５】本発明におけるレベル表示動作の説明に用いる図である。
【図６】本発明におけるレベル処理フローチャート。
【図７】レベル表示装置におけるレベル表示の変化を示す図である。
【図８】従来のレベル表示器の構成を説明する図である。
【図９】レベル表示装置の構成を説明するための図である。
【図１０】従来のレベル表示器における入力信号波形の処理を示す図である。
【図１１】従来のレベル表示器におけるレベル表示を示す図である。
【符号の説明】
１０１　入力端子
１０２　Ａ／Ｄ変換器
１０３　絶対値検出
１０４　レベル比較群
１０５　表示素子群
１０６　クロック１
１０７　ピークホールド
１０８　クロック２
１０９　レベル調整器
１１０　記録再生手段
【図１】
2004028870.tif 000003
【図２】
2004028870.tif 000004
【図３】
2004028870.tif 000005
【図４】
2004028870.tif 000006
【図５】
2004028870.tif 000007
【図６】
2004028870.tif 000008
【図７】
2004028870.tif 000009
【図８】
2004028870.tif 000010
【図９】
2004028870.tif 000011
【図１０】
2004028870.tif 000012
【図１１】
2004028870.tif 000013